(57)【要約】      （修正有）【課題】取り入れる空気の量を向上することができるプランターを提供する。【解決手段】プランターは、環状に形成された周壁部５と、載置される載置面に接触する接触面３１ａを有し、周壁部５の一端の側の開口を塞いで周壁部５とともに植物を栽培する栽培土を収容する収容部を画定する底部と、底部を貫通して形成された複数の貫通孔３５を有し、接触面３１ａに対して周壁部５の他端の側に凹んで形成された凹部３２とを備えている。【選択図】図２
0003203108.tif 000002
【実用新案登録請求の範囲】
【請求項１】
環状に形成された周壁部と、
載置される載置面に接触する接触面を有し、前記周壁部の一端の側の開口を塞いで前記周壁部とともに植物を栽培する栽培土を収容する収容部を画定する底部と、
前記底部を貫通して形成された複数の貫通孔を有し、前記接触面に対して前記周壁部の他端の側に凹んで形成された凹部と
を備えるプランター。
【請求項２】
前記凹部は、前記周壁部の一端及び前記収容部の下方にかけて設けられた周縁凹領域を有する
請求項１に記載のプランター。
【請求項３】
前記周縁凹領域は、少なくとも２箇所に設けられている
請求項２に記載のプランター。
【請求項４】
前記２箇所に設けられた前記周縁凹領域は、対向して配置されている
請求項３に記載のプランター。
【請求項５】
前記凹部は、所定ピッチで並んで配置された前記複数の貫通孔の一部をそれぞれ含む複数の貫通孔群を有し、
前記複数の貫通孔群のうちの一の貫通孔群に含まる前記複数の貫通孔と、前記一の貫通孔群と隣り合って配置された他の貫通孔群に含まれる前記複数の貫通孔とは、互いに半ピッチずれて配置されている
請求項１から４までのいずれか一項に記載のプランター。
【考案の詳細な説明】
【技術分野】
【０００１】
本考案は、植物を栽培するためのプランターに関する。
【背景技術】
【０００２】
草花や野菜などの植物を栽培するためのプランターが知られている（例えば特許文献１）。草花を大きく栽培したり新鮮な野菜を栽培したりするためには、プランターで栽培する植物に新鮮な水や空気を十分に供給する必要がある。
【先行技術文献】
【特許文献】
【０００３】
【特許文献１】実用新案登録第３０９１７５０号公報
【考案の概要】
【考案が解決しようとする課題】
【０００４】
本考案の目的は、取り入れる空気の量を向上することができるプランターを提供することにある。
【課題を解決するための手段】
【０００５】
本考案の一態様によるプランターは、環状に形成された周壁部と、載置される載置面に接触する接触面を有し、前記周壁部の一端の側の開口を塞いで前記周壁部とともに植物を栽培する栽培土を収容する収容部を画定する底部と、前記底部を貫通して形成された複数の貫通孔を有し、前記接触面に対して前記周壁部の他端の側に凹んで形成された凹部とを備えることを特徴とする。
【考案の効果】
【０００６】
本考案の一態様によれば、取り入れる空気の量を向上することができる。
【図面の簡単な説明】
【０００７】
【図１】本考案の第１実施形態によるプランター１を正面右斜め上方から見た外観斜視図（その１）である。
【図２】本考案の第１実施形態によるプランター１を背面右斜め下方から見た外観斜視図である。
【図３】本考案の第１実施形態によるプランター１を正面右斜め上方から見た外観斜視図（その２）である。
【図４】本考案の第１実施形態によるプランター１を背面右斜め下方から見た外観斜視図（その２）である。
【図５】本考案の第１実施形態によるプランター１の平面図であって左側正面を拡大した拡大図である。
【図６】本考案の第２実施形態によるプランター２を正面右斜め上方から見た外観斜視図（その１）である。
【図７】本考案の第２実施形態によるプランター２を背面右斜め下方から見た外観斜視図（その２）である。
【図８】本考案の第２実施形態によるプランター２を正面右斜め上方から見た外観斜視図（その２）である。
【図９】本考案の第２実施形態によるプランター２を背面右斜め下方から見た外観斜視図（その２）である。
【図１０】本考案の第２実施形態によるプランター２の平面図であって左側正面を拡大した拡大図である。
【考案を実施するための形態】
【０００８】
〔第１実施形態〕
本発明の第１実施形態によるプランターについて図１から図５を用いて説明する。
図１に示すように、本実施形態によるプランター１は、一方が開放された箱形状を有している。プランター１は樹脂で形成されている。プランター１は、環状に形成された周壁部５と、周壁部５の一端の側（以下、「一端側」と称する）の開口を塞いで設けられた底部３とを備えている。底部３は、周壁部５とともに植物を栽培する培養土などの栽培土を収容する収容部７を画定している。底部３によって塞がれていない他端の側（以下、「他端側」と称する）は開放されている。プランター１は、周壁部５の他端側から栽培土を収容部７に入れるように構成されている。
【０００９】
周壁部５は、他端側から収容部７を見たときに、長方形状の環状に形成されている。周壁部５は、正面側に配置される正面部５ａと、正面部５ａの右側に配置された右側面部５ｂと、正面部５ａに対向して配置された背面部５ｃと、右側面部５ｂに対向して配置された左側面部５ｄとを有している。また、周壁部５は、一端側より他端側の方が面積が大きく形成されている。つまり、周壁部５は、他端側から一端側に向かって正面部５ａ、右側面部５ｂ、背面部５ｃ及び左側面部５ｄが近づくように傾斜している。このため、プランター１は、他端側の開放端から一端側の底部３に向かって中空の逆四角錐台形状を有している。周壁部５は、周壁部５の周方向に繰り返される曲面状の波型形状を有している。また、周壁部５は、正面部５ａと右側面部５ｂとの接続部、右側面部５ｂと背面部５ｃの接続部、背面部５ｃと左側面部５ｄとの接続部、及び左側面部５ｄと正面部５ａとの接続部が曲面状に形成されている。このため、プランター１は、手触りがよくプランター１の使用者や販売者などの人（以下、使用者や販売者などの人を「使用者」と総称する場合がある）に柔らかい印象を与えることができる。
【００１０】
周壁部５の他端には、外側に折り返された折返部５１が設けられている。折返部５１は、周壁部５の開放端の側（以下、「開放端側」と称する）で収容部７とは逆側に折り返されて設けられている。折返部５１は、筒状に形成された複数の開口部５１１が設けられている。開口部５１１は、折返部５１を貫通して形成されている。開口部５１１は、プランター１で栽培する植物を保持するための支持ホルダ（不図示）を取り付ける取付部として用いられる。開口部５１１は、正面部５ａ側及び背面部５ｃ側のそれぞれに所定の間隙を設けて３つずつ設けられている。周壁部５の正面部５ａ側に設けられた３つの開口部５１１と、周壁部５の背面側５ｃ側に設けられた３つの開口部５１１とは、１対１の関係で対向して配置されている。
【００１１】
図１に示すように、プランター１は、収容部７にリブ９を備えている。リブ９は、収容部７に収容された栽培土に植えられた植物を支持するための支柱が倒れるのを防止するために形成されている。リブ９の詳細な構成については後述する。
【００１２】
折返部５１は、プランター１の使用者がプランター１を持つために指を差し入れる領域として用いられる。折返部５１の頂部は曲面形状に形成されている。このため、使用者が、折返部５１を利用してプランター１を持ったとしても、折返部５１の曲面形状の頂部が指先に触れる。このため、プランター１は、収容部７に栽培土が入れられて重量が増加していたとしても、使用者に痛みを感じにくくさせることができる。
【００１３】
図２に示すように、折返部５１の内周面側には、複数のリブ５１２が設けられている。リブ５１２は、薄板形状を有している。リブ５１２は、折返部５１の内周面の形状に沿う形状を有している。リブ５１２は、折返部５１の頂部の側（以下、「頂部側」と称する）が曲面形状を有し、折返部５１の開放側（すなわち周壁部５の一端側）が直線形状を有する半円形状に形成されている。リブ５１２は、プランター１の使用者が折返部５１に指を差し入れてプランター１を持つ際に、使用者の指から外側に広がる方向の力が折返部５１に加わっても、折返部５１が破損するのを防止するようになっている。
【００１４】
図２に示すように、底部３は、底部３が載置される載置面にプランター１を支持するための脚部３１を有している。ここで、載置面は、プランター１が使用される場所であって底部３が設置される面である。例えば、載置面は、地面であったり家屋のベランダやテラスの床面であったりする。脚部３１は、周壁部５の四隅にそれぞれ設けられている。脚部３１は、周壁部５の角部であって、正面部５ａ及び右側面部５ｂ、右側面部５ｂ及び背面部５ｃ、背面部５ｃ及び左側面部５ｄ、並びに左側面部５ｄ及び正面部５ａのそれぞれに跨る屈曲形状を有している。脚部３１は、正面部５ａ及び背面部５ｃよりも右側面部５ｂ及び左側面部５ｄに張り出して形成されている。脚部３１は、周壁部５の一端から離れる方向に突出して形成されている。
【００１５】
底部３は、底部３が載置される載置面に接触する接触面３１ａを有している。接触面３１ａは、底部３に設けられている。つまり、接触面３１ａは、載置面に接触する脚部３１の外表面の一部である。このため、接触面３１ａは、脚部３１が設けられている周壁部５の四隅に設けられている。
【００１６】
図２に示すように、底部３は、接触面３１ａに対して周壁部５の他端の側に凹んで形成された凹部３２を有している。凹部３２は、底部３を貫通して形成された複数の貫通孔３５（詳細は後述）を有している。なお、図１及び後述する図２から図５では、煩雑さを避けるために、複数の貫通孔３５の一部に参照符号を付すことにする。詳細は後述するが、凹部３２は、周縁凹領域（第一領域の一例）３２ａ，３２ｂ及び内側凹領域（第二領域の一例）３２ｃを有している。以下、周縁凹領域３２ａ，３２ｂ及び内側凹領域３２ｃを総称して凹部３２と称する。
【００１７】
図２に示すように、凹部３２は、プランター１の底面側、すなわち接触面３１ａが設けられた側から見ると、凹んだ形状を有している。一方、図１に示すように、凹部３２は、プランター１の平面側、すなわち収容部７側から見ると、収容部７に突出する凸形状を有している。
【００１８】
凹部３２は、周壁部５の一端及び収容部７の下方の一部にかけて設けられた周縁凹領域３２ａを有している。周縁凹領域３２ａは、少なくとも２箇所に設けられている。２箇所に設けられた周縁凹領域３２ａは、対向して配置されている。具体的に、周縁凹領域３２ａは、右側面部５ｂの一部及び収容部７の下方の一部と、左側面部５ｄの一部及び収容部７の下方の一部にそれぞれ設けられている。周縁凹領域３２ａの一方は、右側面部５ｂで隣り合う２つの脚部３１に挟まれて設けられ、周縁凹領域３２ａの他方は、左側面部５ｄで隣り合う２つの脚部３１に挟まれて設けられている。このように、周縁凹領域３２ａは、対向して配置された周壁部５の対向面にそれぞれ１つずつ設けられている。一方の周縁凹領域３２ａが空気の流入口となり、他方の周縁凹領域３２ａが空気の流出口となる。また、周縁凹領域３２ａは一直線上に配置されている。このため、プランター１は、底部３と載置面と間に空気を流通しやすくなっている。
【００１９】
また、凹部３２は、周壁部５の一端及び収容部７の下方の一部にかけて設けられた周縁凹領域３２ｂを有している。周縁凹領域３２ｂは、少なくとも２箇所に設けられている。２箇所に設けられた周縁凹領域３２ｂは、対向して配置されている。具体的に、周縁凹領域３２ｂは、正面部５ａの一部及び収容部７の下方の一部と、背面部５ｃの一部及び収容部７の下方の一部にそれぞれ設けられている。すなわち、周縁凹領域３２ｂは、対向して配置された周壁部５の対向面にそれぞれ１つずつ設けられている。周縁凹領域３２ｂの一方は、正面部５ａで隣り合う２つの脚部３１に挟まれて設けられ、周縁凹領域３２ｂの他方は、背面部５ｃで隣り合う２つの脚部３１に挟まれて設けられている。また、周縁凹領域３２ｂの一方の両端は周壁部５の正面部５ａで隣り合う２つの脚部３１の内側に配置され、周縁凹領域３２ｂの他方の両端は周壁部５の背面部５ｃで隣り合う２つの脚部３１の内側に配置されている。一方の周縁凹領域３２ｂが空気の流入口となり、他方の周縁凹領域３２ｂが空気の流出口となる。また、周縁凹領域３２ｂは一直線上に配置されている。このため、プランター１は、底部３と載置面と間に空気を流通しやすくなっている。
【００２０】
図２に示すように、凹部３２は、周縁凹領域３２ａ及び周縁凹領域３２ｂよりも内側の領域に設けられた内側凹領域３２ｃを有している。内側凹領域３２ｃは、土手部３３と交差土手部３４（いずれも詳細は後述）とによって、内側凹領域３２ｃ−１，３２ｃ−２，３２ｃ−３，３２ｃ−４の４つに仕切られている。つまり、内側凹領域３２ｃは、内側凹領域３２ｃ−１，３２ｃ−２，３２ｃ−３，３２ｃ−４を有している。以下、内側凹領域３２ｃ−１，３２ｃ−２，３２ｃ−３，３２ｃ−４を総称して、内側凹領域３２ｃと称する。内側凹領域３２ｃは、周縁凹領域３２ａ，３２ｂよりも周壁部５の他端側に凹んで形成されている。
【００２１】
図２に示すように、底部３は、対向して配置された２つの周縁凹領域３２ａを結ぶ土手部３３を有している。土手部３３は、正面部５ａ及び背面部５ｃに並行する直線形状に形成されている。土手部３３は、収容部７側が開放された中空の直方体形状を有している。土手部３３の長手方向の両端には、周縁凹領域３２ａが配置されている。土手部３３は、接触面３１ａに直交する方向に見て、右側面部５ｂ及び左側面部５ｄのほぼ中央に配置されている。
【００２２】
図２に示すように、底部３は、土手部３３に交差して設けられた交差土手部３４を有している。交差土手部３４は、右側面部５ｂ及び左側面部５ｄに並行する直線形状に形成されている。交差土手部３４は、収容部７側が開放された中空の直方体形状を有している。交差土手部３４の長手方向の両端には、周縁凹領域３２ｂが配置されている。交差土手部３４は、接触面３１ａに直交する方向に見て、正面部５ａ及び背面部５ｃのほぼ中央に配置されている。土手部３３及び交差土手部３４は、接触面３１ａ側から見ると、周壁部５側から接触面３１ａ側に向かって突出する凸状の十字形状を有している。
【００２３】
次に、リブ９、凹部３２、土手部３３及び交差土手部３４の詳細な構成について図３及び図４を用いて説明する。図３は、図１と同様の方向から見たプランター１の外観図であるが、理解を容易にするため、複数の貫通孔３５の一部の図示が省略されている。図４は、図２と同様の方向から見たプランター１の外観図であるが、理解を容易にするため、複数の貫通孔３５の一部の図示が省略されている。
【００２４】
図３に示すように、プランター１は、収容部７に設けられたリブ９を備えている。リブ９は、第一リブ９１及び第二リブ９２（いずれも詳細は後述する）を有している。以下、第一リブ９１及び第二リブ９２を総称してリブ９と称する。リブ９は、凹部３２によって収容部７に形成された凹凸の凸領域及び凹領域の少なくとも一方に設けられている。この凸領域は、周縁凹領域３２ａ及び内側凹領域３２ｃの少なくともいずれか一方が設けられた領域に形成される。本実施形態では、周縁凹領域３２ａの形成領域及び内側凹領域３２ｃの形成領域のいずれにもこの凸領域が形成されている。リブ９は、隣り合う凸領域の間の領域に設けられている。この隣り合う凸領域の間の領域は、土手部３３及び交差土手部３４の少なくともいずれか一方が設けられた領域に形成される。本実施形態では、土手部３３の形成領域及び交差土手部３４の形成領域のいずれにもこの隣り合う凸領域の間の領域が形成されている。また、リブ９は、凸領域と周壁部５との間に設けられている。凸領域と周壁部５との間に領域は、周縁凹領域３２ｂが設けられた領域に形成される。さらに、リブ９は、凹部３２によって収容部７に形成された凹凸の凹領域と周壁部５との間に設けられている。この凹領域と周壁部５との間の領域は、接触面３１ａが設けられた領域に形成される。
【００２５】
リブ９は、土手部３３の長手方向に延在する第一リブ９１と、第一リブ９１に交差する方向に延在する第二リブ９２とを有している。第一リブ９１及び第二リブ９２は、薄板形状を有している。第一リブ９１及び第二リブ９２は、底部３から周壁部５の開放端側に向かって屹立して設けられている。第一リブ９１及び第二リブ９２は、所定の間隔を設けて配置されている。このため、収容部７に収容された栽培土に差し込まれた支柱が底部３の表面で滑って所定の角度で傾斜すると、栽培土中の支柱の端部が第一リブ９１及び第二リブ９２の少なくとも一方の側面に接触する。これにより、リブ９は、支柱が所定の角度よりも傾いて、最終的に倒れてしまうのを防止できる。
【００２６】
周縁凹領域３２ａが設けられた凸領域には、一対の第一リブ９１ａと、一対の第一リブ９１ａの間に配置された２つの第二リブ９２ａとが設けられている。一対の第一リブ９１ａは、土手部３３の長手方向に延在する周縁凹領域３２ａの両端部近傍に対向して配置されている。一対の第一リブ９１ａはほぼ平行に配置されている。２つの第二リブ９２ａは、一対の第一リブ９１ａに直交して配置されている。２つの第二リブ９２ａの両端部は、一対の第一リブ９１ａの対向面にそれぞれ接触して設けられている。２つの第二リブ９２ａはほぼ平行に配置されている。一対の第一リブ９１ａ及び２つの第二リブ９２ａは、周壁部５の両短辺側のそれぞれに設けられた周縁凹領域３２ａ上に設けられているが、図３では、右側面部５ｂ側に設けられた周縁凹領域３２ａ上には、１つの第二リブ９２ａのみが図示されている。
【００２７】
土手部３３及び交差土手部３４によって仕切られた４つの内側凹領域３２ｃ−１，３２ｃ−２，３２ｃ−３，３２ｃ−４が設けられたそれぞれの凸領域には、一対の第一リブ９１ｃと、一対の第一リブ９１ｃの間に配置された６つの第二リブ９２ｃとが設けられている。一対の第一リブ９１ｂは、土手部３３の長手方向に延在する内側凹領域３２ｃのそれぞれの両端部近傍に対向して配置されている。一対の第一リブ９１ｃはほぼ平行に配置されている。６つの第二リブ９２ｃは、一対の第一リブ９１ｃに直交して配置されている。６つの第二リブ９２ｃの両端部は、一対の第一リブ９１ｃの対向面にそれぞれ接触して設けられている。一対の第一リブ９１ｃの両端部に設けられた第二リブ９２ｃと、一対の第一リブ９１ｃとによって環状のリブが形成されている。
【００２８】
内側凹領域３２ｃ−１と内側凹領域３２ｃ−３との間の凸領域、及び内側凹領域３２ｃ−２と内側凹領域３２ｃ−４との間の凸領域のそれぞれには、５つの第二リブ９２ｄが設けられている。内側凹領域３２ｃ−１と内側凹領域３２ｃ−３との間の５つの第二リブ９２ｄ、及び内側凹領域３２ｃ−２と内側凹領域３２ｃ−４との間の５つの第二リブ９２ｄは、土手部３３が設けられた領域に配置されている。内側凹領域３２ｃ−１と内側凹領域３２ｃ−３との間の５つの第二リブ９２ｄの端部は、内側凹領域３２ｃ−１，３２ｃ−３に接触して配置されている。内側凹領域３２ｃ−２と内側凹領域３２ｃ−４との間の５つの第二リブ９２ｄの端部は、内側凹領域３２ｃ−２，３２ｃ−４に接触して配置されている。１０個の第二リブ９２ｄはほぼ平行に配置されている。
【００２９】
内側凹領域３２ｃ−１と内側凹領域３２ｃ−２との間の凸領域、及び内側凹領域３２ｃ−３と内側凹領域３２ｃ−４との間の凸領域のそれぞれには、２つの第一リブ９１ｄが設けられている。なお、図３では、内側凹領域３２ｃ−１と内側凹領域３２ｃ−２との間の凸領域に設けられた２つの第一リブ９１ｄのうち１つの第一リブ９１ｄのみが図示されている。内側凹領域３２ｃ−１と内側凹領域３２ｃ−２との間、及び内側凹領域３２ｃ−３と内側凹領域３２ｃ−４との間のそれぞれの凸領域に設けられた２つの第一リブ９１ｄは、交差土手部３４が設けられた領域に配置されている。内側凹領域３２ｃ−１と内側凹領域３２ｃ−２との間の２つの第一リブ９１ｄの端部は、内側凹領域３２ｃ−１，３２ｃ−２に接触して配置されている。内側凹領域３２ｃ−３と内側凹領域３２ｃ−４との間の２つの第一リブ９１ｄの端部は、内側凹領域３２ｃ−３，３２ｃ−４に接触して配置されている。４つの第一リブ９１ｄはほぼ平行に配置されている。
【００３０】
内側凹領域３２ｃ−１と正面部５ａとの間の凸領域、内側凹領域３２ｃ−２と正面部５ａと間の凸領域、内側凹領域３２ｃ−３と背面部５ｃとの間の凸領域、及び内側凹領域３２ｃ−４と背面部５ｃとの間の凸領域のそれぞれには、６個の第二リブ９２ｂが設けられている。なお、図３では、内側凹領域３２ｃ−３，３２ｃ−４と背面部５ｃとの間の領域に設けられた１２個の第二リブ９２ｂのみが図示されている。内側凹領域３２ｃ−１，３２ｃ−２と正面部５ａとの間の領域に設けられた１２個の第二リブ９２ｂと、内側凹領域３２ｃ−３，３２ｃ−４と背面部５ｃとの間の領域に設けられた１２個の第二リブ９２ｂとは、周縁凹領域３２ｂが設けられた領域に配置されている。第二リブ９２ｂは、内側凹領域３２ｃと周縁凹領域３２ｂに接触して配置され、周壁部５には接触していない。内側凹領域３２ｃ−１，３２ｃ−２と正面部５ａとの間の領域に設けられた１２個の第二リブ９２ｂはほぼ平行に配置されている。内側凹領域３２ｃ−３，３２ｃ−４と背面部５ｃとの間の領域に設けられた１２個の第二リブ９２ｂはほぼ平行に配置されている。
【００３１】
内側凹領域３２ｃ−１及び内側凹領域３２ｃ−３と左側面部５ｄとの間の凹領域、及び内側凹領域３２ｃ−２及び内側凹領域３２ｃ−４と右側面部５ｂとの間の凹領域のそれぞれには、２つの第一リブ９１ｂが設けられている。なお、図３では、内側凹領域３２ｃ−３と左側面部５ｄとの間の領域に設けられた１個の第一リブ９１ｂ、及び内側凹領域３２ｃ−４と右側面部５ｂの間の領域に設けられた１個の第一リブ９１ｂのみが図示されている。内側凹領域３２ｃ−１，３２ｃ−３と左側面部５ｄとの間の凹領域に設けられた２個の第一リブ９１ｂは、接触面３１ａが設けられた領域に配置されている。内側凹領域３２ｃ−２，３２ｃ−４と右側面部５ｂとの間の凹領域に設けられた２個の第一リブ９１ｂは、接触面３１ａが設けられた領域に配置されている。第一リブ９１ｂは、内側凹領域３２ｃと接触面３１ａの裏面に接触して配置され、周壁部５には接触していない。内側凹領域３２ｃ−１，３２ｃ−３と左側面部５ｄとの間の凹領域に設けられた２個の第一リブ９１ｂは、ほぼ平行に配置されている。内側凹領域３２ｃ−２，３２ｃ−４と右側面部５ｂとの間の凹領域に設けられた２個の第一リブ９１ｂは、ほぼ平行に配置されている。
【００３２】
図４に示すように、凹部３２は、接触面３１ａに平行な平面部３２１と、周壁部５の他端側から遠ざかる方向に平面部３２１から立ち下がる側壁面３２２とを有している。平面部３２１は、周縁凹領域３２ａに設けられた周縁平面領域３２１ａと、周縁凹領域３２ｂに設けられた周縁平面領域３２１ｂとを有している。側壁面３２２は、周縁凹領域３２ａに設けられた周縁側壁領域３２２ａと、周縁凹領域３２ｂに設けられた周縁側壁領域３２２ｂとを有している。
【００３３】
周縁側壁領域３２２ａは、周縁平面領域３２１ａの両側に設けられている。周縁側壁領域３２２ａは、周縁平面領域３２１ａと接触面３１ａとの間に設けられている。周縁側壁領域３２２ａは、周縁平面領域３２１ａから接触面３１ａに至る側壁を構成している。周縁平面領域３２１ａ、周縁側壁領域３２２ａ及び接触面３１ａは、一体に形成されている。
【００３４】
周縁平面領域３２１ｂの両側は、脚部３１の屈曲部分に食い込んで設けられている。周縁側壁領域３２２ｂは、脚部３１の屈曲部分に食い込む周縁平面領域３２１ｂの両側のそれぞれに接して設けられている。周縁側壁領域３２２ｂは、周縁平面領域３２１ｂから接触面３１ａに至る側壁を構成している。周縁平面領域３２１ｂ、周縁側壁領域３２２ｂ及び接触面３１ａは、一体に形成されている。
【００３５】
平面部３２１は、内側凹領域３２ｃに設けられた内側平面領域３２１ｃを有している。内側平面領域３２１ｃは、周縁平面領域３２１ａ，３２１ｂよりも周壁部５の他端側に配置されている。側壁面３２２は、内側凹領域３２ｃに設けられた内側側壁領域３２２ｃを有している。内側側壁領域３２２ｃは、内側平面領域３２１ｃの周囲端部から接触面３１ａ側に向かって立ち下がって形成されている。
【００３６】
図４に示すように、土手部３３は、接触面３１ａに平行な天端領域３３１と、周壁部５の他端側に近づく方向に天端領域３３１から立ち上がる側面領域３３２とを有している。天端領域３３１は、周縁平面領域３２１ａと面一に形成されている。内側側壁領域３２２ｃは、正面部５ａ及び背面部５ｃに並列する土手部３３の端部と、内側平面領域３２１ｃの端部とを接続して設けられている。このため、側面領域３３２は、内側側面領域３２２ｃに含まれる。内側凹領域３２ｃ−１側に設けられた側面領域３３２は、土手部３３側に設けられた内側側壁領域３２２ｃでもある。また同様に、内側凹領域３２ｃ−２側に設けられた側面領域３３２は、土手部３３側に設けられた内側側壁領域３２２ｃでもある。また同様に、内側凹領域３２ｃ−３側に設けられた側面領域３３２は、土手部３３側に設けられた内側側壁領域３２２ｃでもある。さらに同様に、内側凹領域３２ｃ−４側に設けられた側面領域３３２は、土手部３３側に設けられた内側側壁領域３２２ｃでもある。
【００３７】
交差土手部３４は、接触面３１ａに平行な交差天端領域３４１と、交差天端領域３４１から周壁部５の一端側に近づく方向に立ち上がる交差側面領域３４２とを有している。交差天端領域３４１は、天端領域３３１及び周縁平面領域３２１ａと面一に形成されている。周縁平面領域３２１ａ、天端領域３３１及び交差天端領域３４１は、一体に形成されている。周縁凹領域３２ｂの周縁平面領域３２１ｂは、天端領域３３１及び交差天端領域３４１よりも周壁部５の一端を含む平面から離れて設けられている。したがって、プランター１を収容部７側から見ると、周縁平面領域３２１ｂの方が天端領域３３１及び交差天端領域３４１よりも深い位置に設けられている。
【００３８】
交差側面領域３４２は、右側面部５ｂ及び左側面部５ｄに並列する交差土手部３４の端部及び内側凹領域３２ｃの端部とを接続して設けられている。このため、交差側面領域３４２は、内側側面領域３２２ｃに含まれる。内側凹領域３２ｃ−１側に設けられた交差側面領域３４２は、交差土手部３４側に設けられた内側側壁領域３２２ｃでもある。また同様に、内側凹領域３２ｃ−２側に設けられた交差側面領域３４２は、交差土手部３４側に設けられた内側側壁領域３２２ｃでもある。また同様に、内側凹領域３２ｃ−３側に設けられた交差側面領域３４２は、交差土手部３４側に設けられた内側側壁領域３２２ｃでもある。さらに同様に、内側凹領域３２ｃ−４側に設けられた交差側面領域３４２は、交差土手部３４側に設けられた内側側壁領域３２２ｃでもある。
【００３９】
複数の貫通孔３５は、平面部３２１および側壁面３２２の双方に形成されている。また、複数の貫通孔３５は、天端領域３３１、側面領域３３２、交差天端領域３４１及び交差側面領域３４２に形成されている。このため、複数の貫通孔３５は、接触面３１ａを除いて、載置面に向けられる底部３のほぼ全面に設けられている（図２参照）。
【００４０】
次に、貫通孔３５の構成について図５を用いて説明する。プランター１は、土手部３３及び交差土手部３４との交点の中心を対象軸として回転対象の形状を有している。そこで、底部３に設けられた複数の貫通孔３５の構成について、内側凹領域３２ｃ−１近傍に設けられた複数の貫通孔３５を例にとって説明する。
【００４１】
図５に示すように、貫通孔３５は、細長い長方形状に形成されている。貫通孔３５は、底部３を貫通して形成されている。貫通孔３５は、収容部７に収容された栽培土が貫通孔３５からほとんど落ちない程度の大きさに形成されている。プランター１が設置される空間と収容部７の空間とは、貫通孔３５を介して連通される。これにより、底部３と載置面との間に凹部３２から進入する空気が複数の貫通孔３５を通って収容部７に収容された栽培土に進入できる。その結果、プランター１は、収容部７の栽培土に進入した新鮮な空気を栽培されている植物の根に与えることができる。
【００４２】
凹部３２は、所定ピッチで並んで配置された複数の貫通孔３５の一部をそれぞれ含む複数の貫通孔群１０１ａ，１０１ｂ，１０１ｃ，１０１ｄ，１０１ｅ，１０１ｆ，１０１ｇ，１０１ｈ，１０１ｉ，１０１ｊ，１０１ｋ，１０１Ｌを有している。以下、参照符号「１０１ａ，１０１ｂ，１０１ｃ，１０１ｄ，１０１ｅ，１０１ｆ，１０１ｇ，１０１ｈ，１０１ｉ，１０１ｊ，１０１ｋ，１０１Ｌ、１０１ｍ」のうち、連続する符号を列記する場合には、連続する符号の最前及び最後の符号と、この最前及び最後の符号の間に「〜」と記載して連続する符号を略記する。
【００４３】
貫通孔群１０１ａは、周縁凹領域３２ａの周縁平面領域３２１ａに設けられ、貫通孔群１０１ｂは、周縁凹領域３２ａの周縁側壁領域３２２ａに設けられている。貫通孔群１０１ｃは、周縁凹領域３２ｂの周縁平面領域３２１ｂに設けられ、貫通孔群１０１ｄは、周縁凹領域３２ｂの周縁側壁領域３２２ｂに設けられている。貫通孔群１０１ｅ及び貫通孔群１０１ｆは、内側凹領域３２ｃ−１の内側平面領域３２１ｃに設けられている。貫通孔群１０１ｇ、貫通孔群１０１ｈ、貫通孔群１０１ｉ、貫通孔群１０１ｊ及び貫通孔群１０１ｋは、内側凹領域３２ｃの内側側壁領域３２２ｃに設けられている。貫通孔群１０１Ｌは、土手部３３の天端領域３３１に設けられ、貫通孔群１０１ｍは、脚部３１に設けられている。また、貫通孔群１０１ｉは土手部３３の側面領域３３２に設けられ、貫通孔群１０１ｊは交差土手部３４の交差側面領域３４２に設けられていると見ることもできる。
【００４４】
複数の貫通孔群１０１ａ〜１０１ｍのうちの一の貫通孔群に含まる複数の貫通孔３５と、一の貫通孔群と隣り合って配置された他の貫通孔群に含まれる複数の貫通孔３５とは、互いに半ピッチずれて配置されている。例えば、内側凹領域３２ｃ−１の内側平面領域３２１ｃに設けられた貫通孔群１０１ｅに含まれる複数の貫通孔３５のピッチと、貫通孔群１０１ｆに含まれる複数の貫通孔３５のピッチとは、互いに半ピッチずれて形成されている。また例えば、内側凹領域３２ｃ−１の内側平面領域３２１ｃに設けられた貫通孔群１０１ｅに含まれる複数の貫通孔３５のピッチと、内側凹領域３２ｃ−１の内側側壁領域３２２ｃに設けられた貫通孔群１０１ｇに含まれる複数の貫通孔３５のピッチとは、互いに半ピッチずれている。また例えば、内側凹領域３２ｃ−１の内側側壁領域３２２ｃに設けられた貫通孔群１０１ｇに含まれる複数の貫通孔３５のピッチと、内側凹領域３２ｃ−１の内側側壁領域３２２ｃに設けられた貫通孔群１０１ｄに含まれる複数の貫通孔３５のピッチとは、互いに半ピッチずれている。また例えば、周縁凹領域３２ａの平面部３２１（すなわち周縁平面領域３２１ａ）に設けられた貫通孔群１０１ａに含まれる複数の貫通孔３５と、周縁凹領域３２ａの周縁側壁領域３２２ａに設けられた貫通孔群１０１ｂに含まれる複数の貫通孔３５とは、互いに半ピッチずれて形成されている。
【００４５】
一の貫通孔群に含まる複数の貫通孔３５の端部と、一の貫通孔群と隣り合って配置される他の貫通孔群に含まれる複数の貫通孔３５の端部との距離は、一の貫通孔群に含まる複数の貫通孔３５と他の貫通孔群に含まれる複数の貫通孔３５を半ピッチずらした方が半ピッチずらさないよりも長くなる。これにより、底部３の強度が向上するので、プランター１は、収容部７に収容した栽培土の重量によって底部３が変形したり破損したりするのを防止できる。
【００４６】
以上説明したように、本実施形態によるプランター１は、複数の貫通孔３５が形成された凹部３２を有する底部３を備えている。このため、プランター１は、プランター１が載置される載置面と底部３との間に空気を流通させるための空間を生じさせることができる。これにより、プランター１は、収容部７に収容された栽培土に底部３に流通する空気を複数の貫通孔３５から取入れ、栽培土中に張られた植物の根に新鮮な空気を与えることができる。このように、プランター１は、取り入れる空気の量を向上させ、かつ栽培土中の空気の鮮度を保つことができる。さらに、プランター１は、栽培土に供給された水であって不要な分の水を複数の貫通孔３５から排水することができる。これにより、プランター１は、栽培土中に張られた植物の根に新鮮な水を与えることができる。その結果、プランター１は、大きな草花を大きく栽培したり新鮮な野菜を栽培したりすることができる。
【００４７】
また、プランター１は、凹部３２が載置面に対面する平面部３２１だけでなく、載置面にほぼ直交する側壁面３２２にも複数の貫通孔３５を有している。このため、プランター１は、凹部３２に張られた植物の根に載置面に対面する側からだけでなく、載置面に直交する側からも空気を供給できる。つまり、プランター１は、凹部３２に張られた植物の根に複数の方向から立体的に新鮮な空気を十分に供給できる。これにより、プランター１は、栽培土中に張られた植物の根に新鮮な水を与えることができる。その結果、プランター１は、大きな草花を大きく栽培したり新鮮な野菜を栽培したりすることができる。
【００４８】
さらに、プランター１は、平面部３２１に設けられた複数の貫通孔３５により、栽培土に差し込まれた支柱の端部が底部３の表面で滑りにくくすることができる。つまり、平面部３２１に設けられた複数の貫通孔３５は、リブ９と同様の機能、あるいはリブ９を補助する機能を発揮することができる。
【００４９】
〔第２実施形態〕
本発明の第２実施形態によるプランターについて図６から図１０を用いて説明する。本実施形態によるプランター２について、上記第１実施形態によるプランター１と同様の作用・機能を奏する構成要素には同一の符号を付して説明を省略する。
【００５０】
図６に示すように、本実施形態によるプランター２は、一方が開放された箱形状を有している。プランター２は樹脂で形成されている。プランター２は、環状に形成された周壁部５と、周壁部５の一端側の開口を塞いで設けられた底部４とを備えている。底部４は、周壁部５とともに植物を栽培する栽培土を収容する収容部７を画定している。底部４によって塞がれていない他端側は開放されている。プランター２は、周壁部５の他端側から栽培土を収容部７に入れるように構成されている。周壁部５は、他端側から収容部７を見たときに、正方形状の環状に形成されている。
【００５１】
図６に示すように、プランター２は、収容部７にリブ８を備えている。リブ８は、収容部７に収容された栽培土に植えられた植物を支持するための支柱が倒れるのを防止するために形成されている。リブ８の詳細な構成については後述する。
【００５２】
図７に示すように、底部４は、底部４が載置される載置面にプランター２を支持するための脚部４１を有している。ここで、載置面は、プランター２が使用される場所であって底部４が設置される面である。例えば、載置面は、地面であったり家屋のベランダやテラスの床面であったりする。脚部４１は、周壁部５の四隅にそれぞれ設けられている。脚部４１は、周壁部５の角部であって、正面部５ａ及び右側面部５ｂ、右側面部５ｂ及び背面部５ｃ、背面部５ｃ及び左側面部５ｄ、並びに左側面部５ｄ及び正面部５ａのそれぞれに跨る屈曲形状を有している。脚部４１は、正面部５ａ、右側面部５ｂ、背面部５ｃ及び左側面部５ｄのそれぞれに均等に張り出して形成されている。脚部４１は、周壁部５の一端から離れる方向に突出して形成されている。
【００５３】
底部４は、底部４が載置される載置面に接触する接触面４１ａを有している。接触面４１ａは、底部４に設けられている。つまり、接触面４１ａは、載置面に接触する脚部４１の外表面の一部である。このため、接触面４１ａは、脚部４１が設けられている周壁部５の四隅に設けられている。
【００５４】
図７に示すように、底部４は、接触面４１ａに対して周壁部５の他端の側に凹んで形成された凹部４２を有している。凹部４２は、底部４を貫通して形成された複数の貫通孔４５（詳細は後述）を有している。なお、図６及び後述する図７から図１０では、煩雑さを避けるために、複数の貫通孔４５の一部に参照符号を付すことにする。詳細は後述するが、凹部４２は、周縁凹領域４２ａ及び内側凹領域４２ｂを有している。以下、周縁凹領域４２ａ及び内側凹領域４２ｂを総称して凹部４２と称する。
【００５５】
図７に示すように、凹部４２は、プランター２の底面側、すなわち接触面４１ａが設けられた側から見ると、凹んだ形状を有している。一方、図６に示すように、凹部４２は、プランター２の平面側、すなわち収容部７側から見ると、収容部７に突出する凸形状を有している。
【００５６】
凹部４２は、周壁部５の一端及び収容部７の下方の一部にかけて設けられた周縁凹領域４２ａを有している。周縁凹領域４２ａは、少なくとも２箇所に設けられている。２箇所に設けられた周縁凹領域４２ａは、対向して配置されている。具体的に、周縁凹領域４２ａは、正面部５ａの一部及び収容部７の下方の一部と、右側面部５ｂの一部及び収容部７の下方の一部と、背面部５ｃの一部及び収容部７の下方の一部と、左側面部５ｄの一部及び収容部７の下方の一部にそれぞれ設けられている。周縁凹領域４２ａはそれぞれ、隣り合う２つの脚部４１に挟まれて設けられている。このように、周縁凹領域４２ａは、対向して配置された周壁部５の対向面にそれぞれ１つずつ設けられている。対向配置された一方の周縁凹領域４２ａが空気の流入口となり、他方の周縁凹領域４２ａが空気の流出口となる。また、対向配置された周縁凹領域４２ａは一直線上に配置されている。このため、プランター２は、底部４と載置面と間に空気を流通しやすくなっている。
【００５７】
図７に示すように、凹部４２、周壁部５よりも内側の領域に設けられた内側凹領域４２ｂを有している。内側凹領域４２ｂは、周縁凹領域４２ａよりも周壁部５の他端側から離れて設けられた底深領域４２ｂ−２と、周縁凹領域４２ａよりも周壁部５の他端側に近づけて設けられた底浅領域４２ｂ−１とを有している。底深領域４２ｂ−２は、接触面４１ａに隣接して設けられている。底浅領域４２ｂ−１は、底部４の中央に設けられている。底浅領域４２ｂ−１は、周壁部５の他端側から見て、正方形状を有し、４つの周縁凹領域４２ａ及び４つの底深領域４２ｂ−２に囲まれて設けられている。
【００５８】
次に、リブ８及び凹部４２の詳細な構成について図８及び図９を用いて説明する。図８は、図６と同様の方向から見たプランター２の外観図であるが、理解を容易にするため、複数の貫通孔４５の一部の図示が省略されている。図９は、図７と同様の方向から見たプランター２の外観図であるが、理解を容易にするため、複数の貫通孔４５の一部の図示が省略されている。
【００５９】
図８に示すように、プランター２は、収容部７に設けられたリブ８を備えている。リブ８は、第一リブ８１、第二リブ８２、第三リブ８３及び第四リブ８４（いずれも詳細は後述する）を有している。以下、第一リブ８１、第二リブ８２、第三リブ８３及び第四リブ８４を総称してリブ８と称する。リブ８は、凹部４２によって収容部７に形成された凹凸の凸領域及び凹領域の少なくとも一方に設けられている。この凸領域は、周縁凹領域４２ａ及び内側凹領域４２ｂのいずれか一方が設けられた領域に形成される。本実施形態では、周縁凹領域４２ａの形成領域及び内側凹領域４２ｂの形成領域のいずれにもこの凸領域が形成されている。また、リブ８は、凹部４２によって収容部７に形成された凹凸の凹領域と周壁部５との間に設けられている。この凹領域と周壁部５との間の領域は、接触面４１ａが設けられた領域に形成される。
【００６０】
リブ８は、周縁凹領域４２ａの長手方向に延在する第一リブ８１と、第一リブ８１に交差する方向に延在する第二リブ８２と、枠状に形成された第三リブ８３と、底浅領域４２ｂ−１の角部と周壁部５の角部との間に設けられた第四リブ８４とを有している。第一リブ８１、第二リブ８２、第三リブ８３及び第四リブ８４は、薄板形状を有している。第一リブ８１、第二リブ８２、第三リブ８３及び第四リブ８４は、底部４から周壁部５の開放端側に向かって屹立して設けられている。第一リブ８１、第二リブ８２、第三リブ８３及び第四リブ８４は、は、所定の間隔を設けて配置されている。これにより、リブ８は、上記第１実施形態によるプランター１に設けられたリブ９と同様の効果が得られる。
【００６１】
周縁凹領域４２ａが設けられた凸領域には、一対の第一リブ８１と、一対の第一リブ８１の間に配置された２つの第二リブ８２とが設けられている。図８では、正面部５ａ側及び右側面部５ｂに設けられた周縁凹領域４２ａ上には、第二リブ８２が図示されていない。一対の第一リブ８１は、周縁凹領域４２ａの両端部近傍に対向して配置されている。一対の第一リブ８１はほぼ平行に配置されている。第二リブ８２は、一対の第一リブ８１に直交して配置されている。第二リブ８２の両端部は、一対の第一リブ８１の対向面にそれぞれ接触して設けられている。
【００６２】
図９に示すように、凹部４２は、接触面４１ａに平行な平面部４２１と、周壁部５の他端側から遠ざかる方向に平面部４２１から立ち下がる側壁面４２２とを有している。平面部４２１は、周縁凹領域４２ａに設けられた周縁平面領域４２１ａと、底浅領域４２ｂ−１に設けられた底浅平面領域４２１ｂ−１と、底深領域４２ｂ−２に設けられた底深平面領域４２１ｂ−２とを有している。側壁面４２２は、周縁凹領域４２ａに設けられた周縁側壁領域４２２ａと、底浅領域４２ｂ−１に設けられた底浅側壁領域４２２ｂ−１と、底深領域４２ｂ−２に設けられた底深側壁領域４２２ｂ−２とを有している。
【００６３】
周縁側壁領域４２２ａは、周縁平面領域４２１ａの両側に設けられている。周縁側壁領域４２２ａは、周縁平面領域４２１ａと接触面４１ａ及び底深領域４２ｂ−２との間に設けられている。周縁側壁領域４２２ａは、周縁平面領域４２１ａから接触面４１ａ及び底深領域４２ｂ−２に至る側壁を構成している。周縁平面領域４２１ａ、周縁側壁領域４２２ａ、接触面４１ａ及び底深領域４２ｂ−２は、一体に形成されている。
【００６４】
底深平面領域４２１ｂ−２は、接触面４１ａに隣接して設けられている。底深側壁領域４２２ｂ−２は、底深平面領域４２１ｂ−２と接触面４１ａとの間に設けられている。底深側壁領域４２２ｂ−２は、底深平面領域４２１ｂ−２から接触面４１ａに至る側壁を構成している。底深平面領域４２１ｂ−２、底深側壁領域４２２ｂ−２及び接触面４１ａは、一体に形成されている。
【００６５】
底浅側壁領域４２２ｂ−１は、底浅平面領域４２１ｂ−１の周囲を囲んで設けられている。底浅側壁領域４２２ｂ−１は、底浅平面領域４２１ｂ−１から周縁凹領域４２ａ及び底深領域４２ｂ−２に至る側壁を構成している。底浅平面領域４２１ｂ−１、底深領域４２ｂ−２及び周縁凹領域４２ａは、一体に形成されている。
【００６６】
次に、貫通孔４５の構成について図１０を用いて説明する。プランター２は、底浅平面領域４２１ｂ−１の中心を対象軸として回転対象の形状を有している。そこで、底部４に設けられた複数の貫通孔４５の構成について、正面左側寄りの底部４に設けられた複数の貫通孔４５を例にとって説明する。
【００６７】
図１０に示すように、貫通孔４５は、細長い長方形状に形成されている。貫通孔４５は、底部４を貫通して形成されている。貫通孔４５は、収容部７に収容された栽培土が貫通孔４５からほとんど落ちない程度の大きさに形成されている。プランター２が設置される空間と収容部７の空間とは、貫通孔４５を介して連通される。これにより、底部４と載置面との間に凹部４２から進入する空気が複数の貫通孔４５を通って収容部７に収容された栽培土に進入できる。その結果、プランター２は、収容部７の栽培土に進入した新鮮な空気を栽培されている植物の根に与えることができる。
【００６８】
凹部４２は、所定ピッチで並んで配置された複数の貫通孔４５の一部をそれぞれ含む複数の貫通孔群２０１ａ，２０１ｂ，２０１ｃ，２０１ｄ，２０１ｅ，２０１ｆ，２０１ｇ，２０１ｈを有している。以下、参照符号「２０１ａ，２０１ｂ，２０１ｃ，２０１ｄ，２０１ｅ，２０１ｆ，２０１ｇ−１，２０１ｇ−２，２０１ｈ」のうち、連続する符号を列記する場合には、連続する符号の最前及び最後の符号と、この最前及び最後の符号の間に「〜」と記載して連続する符号を略記する。
【００６９】
貫通孔群２０１ａは、周縁凹領域４２ａの周縁平面領域４２１ａに設けられ、貫通孔群２０１ｂは、周縁凹領域４２ａの周縁側壁領域４２２ａに設けられている。貫通孔群２０１ｃ及び貫通孔群２０１ｄは、底浅領域４２ｂ−１の底浅平面領域４２１ｂ−１に設けられ、貫通孔群２０１ｅ及び貫通孔群２０１ｆは、底浅領域４２ｂ−１の底浅側壁領域４２２ｂ−１に設けられている。貫通孔群２０１ｇは、底深領域４２ｂ−２の底深平面領域４２１ｂ−２に設けられ、貫通孔群２０１ｈは、底深領域４２ｂ−２の底深側壁領域４２２ｂ−２に設けられている。
【００７０】
複数の貫通孔群２０１ａ〜２０１ｈのうちの一の貫通孔群に含まる複数の貫通孔４５と、一の貫通孔群と隣り合って配置された他の貫通孔群に含まれる複数の貫通孔４５とは、互いに半ピッチずれて配置されている。例えば、底浅領域４２ｂ−１の底浅側壁領域４２２ｂ−１に設けられた貫通孔群２０１ｅに含まれる複数の貫通孔４５のピッチと、貫通孔群２０１ｆに含まれる複数の貫通孔４５のピッチとは、互いに半ピッチずれて形成されている。また例えば、底浅領域４２ｂ−１の底浅側壁領域４２２ｂ−１に設けられた貫通孔群２０１ｆに含まれる複数の貫通孔４５のピッチと、底深領域４２ｂ−２の底深平面領域４２１ｂ−２に設けられた貫通孔群２０１ｇに含まれる複数の貫通孔４５のピッチとは、互いに半ピッチずれている。また例えば、底浅領域４２ｂ−１の底浅側壁領域４２２ｂ−１に設けられた貫通孔群２０１ｆに含まれる複数の貫通孔４５のピッチと、周縁凹領域４２ａの周縁側壁領域４２２ａに設けられた貫通孔群２０１ｂとは、互いに半ピッチずれている。
【００７１】
一の貫通孔群に含まる複数の貫通孔４５の端部と、一の貫通孔群と隣り合って配置される他の貫通孔群に含まれる複数の貫通孔４５の端部との距離は、一の貫通孔群に含まる複数の貫通孔４５と他の貫通孔群に含まれる複数の貫通孔４５を半ピッチずらした方が半ピッチずらさないよりも長くなる。これにより、底部３の強度が向上するので、プランター２は、収容部７に収容した栽培土の重量によって底部４が変形したり破損したりするのを防止できる。
【００７２】
以上説明したように、本実施形態によるプランター２は、複数の貫通孔４５が形成された凹部４２を有する底部４を備えている。このため、プランター２は、プランター２が載置される載置面と底部４との間に空気を流通させるための空間を生じさせることができる。これにより、プランター２は、上記第１実施形態によるプランター１と同様の効果が得られる。
【００７３】
また、プランター２は、凹部４２が載置面に対面する平面部４２１だけでなく、載置面にほぼ直交する側壁面４２２にも複数の貫通孔３５を有している。このため、プランター１は、凹部４２に張られた植物の根に載置面に対面する側からだけでなく、載置面に直交する側からも空気を供給できる。つまり、プランター２は、凹部４２に張られた植物の根に複数の方向から立体的に新鮮な空気を十分に供給できる。これにより、プランター２は、上記第１実施形態によるプランター１と同様の効果が得られる。
【００７４】
本考案は、上記第１及び第２実施形態に限らず種々の変形が可能である。
例えば、上記第１実施形態によるプランター１は、長手方向が例えば７０ｃｍの長さを有しているが、本発明はこれに限られず、プランターの長手方向の長さは７０ｃｍよりも長くてもあるいは短くても、上記第１実施形態によるプランター１と同様の効果が得られる。
【００７５】
また、例えば、上記第２実施形態によるプランター２は、一辺が例えば４０ｃｍの長さを有しているが、本発明はこれに限られず、プランターの一辺の長さは４０ｃｍよりも長くてもあるいは短くても、上記第２実施形態によるプランター２と同様の効果が得られる。
【００７６】
また、例えば、上記第１実施形態によるプランター１の底部３の凹凸形状は、凹部３２に限られず、上記第２実施形態によるプランター２の底部４の凹部４２と同様の凹凸形状を有していてもよい。また、例えば、上記第２実施形態によるプランター２の底部４の凹凸形状は、凹部４２に限られず、上記第１実施形態によるプランター１の底部３の凹部３２と同様の凹凸形状を有していてもよい。
【００７７】
また、周壁部５の形状は、他端部から見て、長方形状や正方形状だけでなく、円形状、楕円形状、３又は４以上５以上の多角形状であっても、上記第１及び第２実施形態によるプランター１，２と同様の効果が得られる。
【００７８】
上記第１及び上記第２実施形態によるプランターは、以下のようにまとめられる。
（付記１）
環状に形成された周壁部と、
載置される載置面に接触する接触面を有し、前記周壁部の一端の側の開口を塞いで前記周壁部とともに植物を栽培する栽培土を収容する収容部を画定する底部と、
前記底部を貫通して形成された複数の貫通孔を有し、前記接触面に対して前記周壁部の他端の側に凹んで形成された凹部と
を備えるプランター。
（付記２）
前記凹部は、前記周壁部の一端及び前記収容部の下方にかけて設けられた周縁凹領域を有する
付記１に記載のプランター。
（付記３）
前記周縁凹領域は、少なくとも２箇所に設けられている
付記３に記載のプランター。
（付記４）
前記２箇所に設けられた前記周縁凹領域は、対向して配置されている
付記３に記載のプランター。
（付記５）
前記凹部は、所定ピッチで並んで配置された前記複数の貫通孔の一部をそれぞれ含む複数の貫通孔群を有し、
前記複数の貫通孔群のうちの一の貫通孔群に含まる前記複数の貫通孔と、前記一の貫通孔群と隣り合って配置された他の貫通孔群に含まれる前記複数の貫通孔とは、互いに半ピッチずれて配置されている
付記１から４までのいずれか一項に記載のプランター。
（付記６）
前記凹部は、前記周縁凹領域によりも内側の領域に設けられた内側凹領域を有する。
（付記７）
前記内側凹領域は、前記周縁凹領域よりも前記他端の側に凹んで形成されている。
（付記８）
前記底部は、対向して配置された２つの前記周縁凹領域を結ぶ土手部を有する。
（付記９）
前記底部は、前記土手部に交差して設けられた交差土手部を有する。
（付記１０）
前記内側凹領域は、前記土手部と前記交差土手部とによって４つに仕切られている。
（付記１１）
前記凹部は、前記接触面に平行な平面部と、前記他端の側から遠ざかる方向に前記平面部から立ち下がる側壁面とを有し、
前記複数の貫通孔は、前記平面部および前記側壁面の双方に形成されている。
（付記１２）
前記平面部に形成された前記複数の貫通孔と、前記側壁面に形成された前記複数の貫通孔とは、互いに半ピッチずれて形成されている。
（付記１３）
前記平面部は、前記周縁凹領域に設けられた周縁平面領域と、前記内側凹領域に設けられた内側平面領域とを有し、
前記側壁面は、前記周縁凹領域に設けられた周縁側壁領域と、前記内側凹領域に設けられた内側側壁領域とを有する。
（付記１４）
前記土手部は、前記接触面に平行な天端領域と、前記他端の側に近づく方向に前記天端領域から立ち上がる側面領域とを有し、
前記天端領域は、前記周縁平面領域と面一に形成され、
前記側面領域は、前記内側側壁領域に含まれる。
（付記１５）
前記交差土手部は、前記接触面に平行な交差天端領域と、前記交差天端領域から前記一端の側に近づく方向に立ち下がる交差側面領域とを有し、
前記交差天端領域は、前記天端領域と面一に形成され、
前記交差側面領域は、前記内側側壁領域に含まれる。
（付記１６）
前記周縁平面領域、前記天端領域及び前記交差天端領域は、一体に形成されている。
（付記１７）
前記周縁凹領域は、第一領域及び第二領域を有し
前記第一領域は、前記土手部の延伸方向に並んで配置されており、
前記第二領域は、前記交差土手部の延伸方向に並んで配置されている。
（付記１８）
前記第二領域の前記周縁平面領域は、前記天端領域及び前記交差天端領域よりも前記一端を含む平面から離れている。
（付記１９）
前記収容部に設けられたリブを備えている。
（付記２０）
前記リブは、前記凹部によって前記収容部に形成された凹凸の凸領域及び凹領域の少なくとも一方に設けられている。
（付記２１）
前記凸領域は、前記周縁凹領域及び前記内側凹領域の少なくともいずれか一方が設けられた領域に形成されている。
（付記２２）
前記リブは、隣り合う前記凸領域の間に設けられている。
（付記２３）
前記隣り合う前記凸領域の間の領域は、前記土手部及び前記交差土手部の少なくともいずれか一方が設けられた領域に形成される。
（付記２４）
前記リブは、前記凸領域と前記周壁部との間の領域に設けられている。
（付記２５）
前記凸領域と前記周壁部との間の領域は、前記周縁凹領域が設けられた領域に形成されている。
（付記２６）
前記リブは、前記凹領域と前記周壁部との間の領域に設けられている。
（付記２７）
前記凹領域と前記周壁部との間の領域は、前記接触面が設けられた領域に形成される。
（付記２８）
前記リブは、前記土手部の延伸方向に延在する第一リブと、前記第一リブに交差する方向に延在する第二リブを有する。
（付記２９）
接触面は、前記周壁部の四隅に設けられている。
（付記３０）
前記周壁部の他端には、外側に折り返された折り返し部が設けられている。
（付記３１）
前記内側凹領域は、前記周縁凹領域よりも前記他端の側から離れて設けられた底深領域と、前記周縁凹領域よりも前記他端の側に近づけて設けられた底浅領域とを有する。
（付記３２）
前記底深領域は、前記接触面に隣接して設けられている。
（付記３３）
前記底浅領域は、前記底部の中央に設けられている。
【００７９】
上記の実施形態は、本考案の技術的思想を具体化するための装置を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【００８０】
１，２  プランター
３，４  底部
５  周壁部
５ａ  正面部
５ｂ  右側面部
５ｃ  背面部
５ｄ  左側面部
７  収容部
９，８，５１２  リブ
３１，４１  脚部
３１ａ，４１ａ  接触面
３２，４２  凹部
３２ａ，４２ａ  周縁凹領域
３２ｂ  周縁凹領域
３２ｃ，３２ｃ−１，３２ｃ−２，３２ｃ−３，３２ｃ−４，４２ｂ  内側凹領域
３３  土手部
３４  交差土手部
３５、４５  貫通孔
４２ｂ−１  底浅領域
４２ｂ−２  底深領域
５１  折返部
８１，９１，９１ａ，９１ｂ，９１ｃ，９１ｄ  第一リブ
８２，９２，９２ａ，９２ｂ，９２ｃ，９２ｄ  第二リブ
８３  第三リブ
８４  第四リブ
１０１  貫通孔
１０１ａ〜１０１ｍ，２０１ａ〜２０１ｈ  貫通孔群
３２１，４２１  平面部
３２１ａ，３２１ｂ，３２１ｃ，４２１ａ  周縁平面領域
３２２，４２２  側壁面
３２２ａ，３２２ｂ，４２２ａ  周縁側壁領域
３２２ｃ  内側側壁領域
３３１  天端領域
３３２  側面領域
３４１  交差天端領域
３４２  交差側面領域
４２１ｂ−１  底浅平面領域
４２１ｂ−２  底深平面領域
４２２ｂ−１  底浅側壁領域
４２２ｂ−２  底深側壁領域
５１１  開口部
【図１】
0003203108.tif 000003
【図２】
0003203108.tif 000004
【図３】
0003203108.tif 000005
【図４】
0003203108.tif 000006
【図５】
0003203108.tif 000007
【図６】
0003203108.tif 000008
【図７】
0003203108.tif 000009
【図８】
0003203108.tif 000010
【図９】
0003203108.tif 000011
【図１０】
0003203108.tif 000012